(57)【要約】【課題】外部から振動を受けても雄コンタクトに対する雌コンタクトの接圧の変化が抑えられたコネクタを提供する。【解決手段】コネクタ１００は、枠体１０と、コンタクト副組立体２０と、スライド部材３０とを有する。コンタクト副組立体２０は、雌コンタクト２１と、それを支持する第１ハウジング２２とを有する。スライド部材３０は、押当部材３１と、それを支持する第２ハウジング３２とを有する。枠体１０は、コンタクト副組立体２０を収容するとともにスライド部材３０のスライドを案内する。ここで、押当部材３１は、押当部３１１と挟持部３１２とを有する。スライド部材３が図６に示す押当位置にスライドすると、押当部３１１が雌コンタクト２１を雄コンタクト５１に押し当てる。また、挟持部３１２は、押当部３１１との間に雌コンタクト２１の一部を挟持する。【選択図】図６
2019021455.tif 000002
【特許請求の範囲】
【請求項１】
雌コンタクトと該雌コンタクトを支持する第１ハウジングとを有するコンタクト副組立体、
押当位置にスライドした状態において前記雌コンタクトに挿し込まれた雄コンタクトに該雌コンタクトを押し当てる、１つの雌コンタクトと１つの雄コンタクトとのペアごとに配備された押当部材と、該押当部材を支持する第２ハウジングとを有し、該押当位置と、該雄コンタクトを該雌コンタクトの押当てから解放した解放位置との間でスライド自在なスライド部材、および
前記コンタクト副組立体を収容するとともに前記スライド部材のスライドを案内する枠体を備え、
前記スライド部材が、前記押当位置にスライドして該スライド部材と前記コンタクト副組立体との間の相対的な振動を抑える相対振動抑制構造を有することを特徴とするコネクタ。
【請求項２】
前記押当部材が、金属部材が２つ折りに折り曲げられた形状のばね部材であって前記押当位置へのスライドによりコンタクト副組立体の一部を弾性的に挟持する構造を有し、前記スライド部材が、該押当位置にスライドした状態において、該雌コンタクトに挿し込まれた雄コンタクトに該雌コンタクトを押し当てるとともに、前記コンタクト副組立体の一部を挟持することで該コンタクト副組立体と該スライド部材との間の相対的な振動を抑える部材であることを特徴とする請求項１に記載のコネクタ。
【発明の詳細な説明】
【技術分野】
【０００１】
本発明は、押当位置にスライドして、挿し込まれている雄コンタクトに雌コンタクトを押し付ける構造を備えたコネクタに関する。
【背景技術】
【０００２】
例えば自動車の車内等の振動の多い箇所に搭載されることを予定した、上記の構造を備えたコネクタが知られている。
【０００３】
例えば、特許文献１には、ハウジング内に収容された雌コンタクト内に挿入部材を挿入することにより、雌コンタクトの湾曲部を相手側コンタクトである雄コンタクトに押し付ける構造のコネクタが開示されている。
【先行技術文献】
【特許文献】
【０００４】
【特許文献１】特開２０１３−９３３１８号公報
【発明の概要】
【発明が解決しようとする課題】
【０００５】
上掲の特許文献１には、そこに開示された構造のコネクタによれば振動を吸収しつつ小型化が可能である旨、記載されている。
【０００６】
しかしながら、この特許文献１に開示されたコネクタの場合、外部からの振動を受けて挿入部材が振動すると、雄コンタクトに対する雌コンタクトの接圧が変化し、微摺動摩耗が生じて信頼性が低下するおそれがある。
【０００７】
本発明は、上記事情に鑑み、外部から振動を受けても雄コンタクトに対する雌コンタクトの接圧の変化が抑えられたコネクタを提供することを目的とする。
【課題を解決するための手段】
【０００８】
上記目的を達成する本発明のコネクタは、
雌コンタクトと雌コンタクトを支持する第１ハウジングとを有するコンタクト副組立体、
押当位置にスライドした状態において雌コンタクトに挿し込まれた雄コンタクトに雌コンタクトを押し当てる、１つの雌コンタクトと１つの雄コンタクトとのペアごとに配備された押当部材と、その押当部材を支持する第２ハウジングとを有し、押当位置と、雄コンタクトを雌コンタクトの押当てから解放した解放位置との間でスライド自在なスライド部材、および
上記コンタクト副組立体を収容するとともに上記スライド部材のスライドを案内する枠体を備え、
上記スライド部材が、押当位置にスライドしてスライド部材とコンタクト副組立体との間の相対的な振動を抑える相対振動抑制構造を有することを特徴とする。
【０００９】
外部の振動を受けたときに上記のスライド部材とコンタクト副組立体とが相対的に振動すると接圧が変化するが、それらが一体となって振動しても接圧は変化しない。
【００１０】
本発明は、この点に着目した発明である。すなわち、本発明によれば、上記の押当部材が相対振動抑制構造を有するため、雄コンタクトに対する雌コンタクトの接圧の変化が抑えられる。その結果、微摺動摩耗が抑えられ、信頼性の高いコネクタが実現する。
【００１１】
ここで、本発明のコネクタにおいて、上記押当部材が、金属部材が２つ折りに折り曲げられた形状のばね部材であって押当位置へのスライドによりコンタクト副組立体の一部を弾性的に挟持する構造を有し、上記スライド部材が、該押当位置にスライドした状態において、雌コンタクトに挿し込まれた雄コンタクトに雌コンタクトを押し当てるとともに、コンタクト副組立体の一部を挟持することでコンタクト副組立体とスライド部材との間の相対的な振動を抑える部材であることが好ましい。
【００１２】
具体的には、スライド部材は、金属部材が折り曲げられたばね部材でコンタクト副組立体の一部を挟持するという簡易な構造の押当部材を備えていてもよい。この構造の押当部材を備えたスライド部材に、雄コンタクトに雌コンタクトを押し当てる作用と相対的な振動を抑える作用とを担わせることができる。
【発明の効果】
【００１３】
以上の本発明によれば、外部から振動を受けても雄コンタクトに対する雌コンタクトの接圧の変化が抑えられたコネクタが実現する。
【図面の簡単な説明】
【００１４】
【図１】本発明の一実施形態としてのコネクタの外観斜視図である。
【図２】図１に外観を示したコネクタの分解斜視図である。
【図３】図１に示したコネクタに、相手コンタクトである雄コンタクトが挿し込まれている状態を示した背面図（Ａ）と、その状態における回路基板と雄コンタクトとを示した斜視図（Ｂ）である。
【図４】コネクタ単体の、図３に示す矢印Ａ−Ａに沿う断面図である。
【図５】コネクタが回路基板上に搭載され、そのコネクタに雄コンタクトが挿し込まれた状態の断面図である。
【図６】図５に示した状態の後、スライド部材が押当位置にスライドした状態の断面図である。
【発明を実施するための形態】
【００１５】
以下、本発明の実施の形態について説明する。
【００１６】
図１は、本発明の一実施形態としてのコネクタの外観斜視図である。図１（Ａ），（Ｂ）には、同じコネクタを互いに異なる方向から眺めたときの外観が示されている。
【００１７】
また、図２は、図１に外観を示したコネクタの分解斜視図である。
【００１８】
このコネクタ１００は、絶縁樹脂製の枠体１０と、コンタクト副組立体２０と、スライド部材３０とを備えている。
【００１９】
コンタクト副組立体２０は、導電性金属製の雌コンタクト２１と、その雌コンタクト２１を支持する絶縁樹脂製の第１ハウジング２２とを有する。本実施形態のコンタクト副組立体２０には、５つの雌コンタクト２１が配列されている。
【００２０】
また、スライド部材３０は、押当部材３１と、その押当部材３１を支持する絶縁樹脂製の第２ハウジング３２とを有する。このスライド部材３０は、図１に示すように、枠体１０から突き出た解放位置と、枠体１０内に押し込められた押当位置（図６参照）との間でスライドする。本実施形態におけるスライド部材３０には、コンタクト副組立体２０に備えられている５つの雌コンタクト２１に対応して、５つの押当部材３１が配列されている。
【００２１】
また、枠体１０は、コンタクト副組立体２０を収容するとともに、スライド部材３０のスライドを案内する。
【００２２】
図３は、図１に示したコネクタに、相手コンタクトである雄コンタクトが挿し込まれている状態を示した背面図（Ａ）と、その状態における回路基板と雄コンタクトとを示した斜視図（Ｂ）である。
【００２３】
このコネクタ１００は、回路基板２００上に搭載される。そして、その回路基板２００には、雄コンタクト５１を貫通させる貫通孔２０１が形成されている。コネクタ１００が５つの雌コンタクト２１（図１参照）を備えることに対応して、ここに示した回路基板２００とは異なる不図示の回路基板上に、５本の雄コンタクト５１が備えられている。そして、それら５本の雄コンタクト５１が回路基板２００の貫通孔２０１を貫通して、コネクタ１００の５つの雌コンタクト２１の各々に挿し込まれる。
【００２４】
図４〜図６は、本実施形態のコネクタの、図３に示す矢印Ａ−Ａに沿う断面図である。
【００２５】
ここで、図４は、コネクタ１００の単体の断面図である。この図４において、スライド部材３０は、図１と同様、解放位置にある。
【００２６】
また、図５は、コネクタ１００が回路基板２００上に搭載され、そのコネクタ１００に雄コンタクト５１が挿し込まれた状態の断面図である。この図５においても、スライド部材３０は解放位置にある。
【００２７】
さらに、図６は、図５に示した状態の後、スライド部材３０が押当位置にスライドした状態の断面図である。
【００２８】
前述の通り、コンタクト副組立体２０には、第１ハウジング２２と、その第１ハウジング２２に支持された雌コンタクト２１が備えられている。本実施形態では、雌コンタクト２１は、第１ハウジング２２に圧入されている。
【００２９】
また、これも前述の通り、スライド部材３０は、押当部材３１と、その押当部材３１を支持する第２ハウジング３２とを備えている。本実施形態の押当部材３１は、金属部材が２つに折り曲げられた形状のばね部材である。このばね部材としての押当部材３１は、押当部３１１と挟持部３１２とを有する。押当部３１１は、スライド部材３０が押当位置（図６参照）にスライドしたときに雌コンタクト２１の接触片２１１を押して接触片２１１を雄コンタクト５１に押し当てる。また、挟持部３１２は、スライド部材３０が押当位置（図６参照）にスライドしたときに、押当部３１１との間に雌コンタクトの側壁２１２を挟持する。
【００３０】
図５に示すように、このコネクタ１００には、雄コンタクト５１が挿し込まれる。ただし、雄コンタクト５１が挿し込まれても、スライド部材３０が図５に示す解放位置にある限りは、雌コンタクト２１の雄コンタクト５１に対する接圧は規定の接圧よりも低く、それらのコンタクト間の電気的な接続は保証されていない。
【００３１】
このコネクタ１００に雄コンタクト５１を挿し込んだ後、スライド部材３０を、図６に示す押当位置にスライドさせる。すると、このスライド部材３０に備えられている押当部材３１の押当部３１１が、雌コンタクト２１の接触片２１１を押して雌コンタクト２１を雄コンタクト５１に押し当てる。これにより、雄コンタクト５１と雌コンタクト２１との間の接圧が規定の接圧となる。
【００３２】
また、本実施形態の場合、押当部材３０は挟持部３１２を備えている。そして、スライド部材３０が図６に示す押当位置にスライドすると、挟持部３１２は、押当部３１１との間に雌コンタクト２１の側壁２１２を挟持する。
【００３３】
ここで、このコネクタ１００が外部からの振動を受けて振動したものとする。このとき、仮に、コンタクト副組立体２０に対しスライド部材３０が相対的に振動する構造を有すると、雄コンタクト５１に対する雌コンタクト２１の接圧が変動し、微摺動摩耗を生じてコネクタとしての信頼性が低下するおそれがある。本実施形態の場合、押当部材３１が雌コンタクト２１の側壁２１２を挟持している。この雌コンタクト２１は、コンタクト副組立体２０のハウジングである第１ハウジング２２に圧入されて第１ハウジング２２と一体化されている。このため、本実施形態の場合、スライド部材３０とコンタクト副組立体２０との間の相対的な振動が抑えられ、振動する場合はそれらが一体となって振動する。それらが一体となって振動する限りは、雄コンタクト５１に対する雌コンタクト２１の接圧の変動が抑えられる。これにより、微摺動摩耗の発生が抑えられ、信頼性の高いコネクタが実現する。
【００３４】
なお、本実施形態では、押当部材３１でコンタクト副組立体２０の一部、具体的には雌コンタクト２１の側壁２１２を挟持することで、スライド部材３０とコンタクト副組立体２０との間の相対的な振動を抑えている。しかしながら、本発明は、雌コンタクト２１の一部２１２を挟持する構造に限られるものではない。例えば、押当部材は、コンタクト副組立体２０のハウジングである第１ハウジング２２の一部を挟持するものであってもよく、スライド部材３０とコンタクト副組立体２０との間の相対的な振動を抑える相対振動抑制構造を有していればよい。
【００３５】
また、本実施形態では、単一の第１ハウジング２２が５個の雌コンタクト２１を収容しているが、１個の雌コンタクトに対して１個の第１ハウジングを用意してもよい。
【符号の説明】
【００３６】
１０    枠体
２０    コンタクト副組立体
２１    雌コンタクト
２１１  接触片
２１２  側壁
２２    第１ハウジング
３０    スライド部材
３１    押当部材
３１１  押当部
３１２  挟持部
３２    第２ハウジング
５１    雄コンタクト
１００  コネクタ
２００  回路基板
２０１  貫通孔
【図１】
2019021455.tif 000003
【図２】
2019021455.tif 000004
【図３】
2019021455.tif 000005
【図４】
2019021455.tif 000006
【図５】
2019021455.tif 000007
【図６】
2019021455.tif 000008